(57)【特許請求の範囲】
【請求項１】
アノード層とカソード層との間に第１の発光層が設けられた第１のエレクトロルミネセンス（ＥＬ）素子と、アノード層とカソード層との間に第２の発光層が設けられた第２のＥＬ素子と、アノード層とカソード層との間に第３の発光層が設けられた第３のＥＬ素子とを有するエレクトロルミネセンスデバイスであって、
前記第２のＥＬ素子の上に、前記第１の発光層が前記第２の発光層に対して平行状態で相互に積層状態になるように前記第１のＥＬ素子が配置されるとともに、前記第３のＥＬ素子の上に、前記第２の発光層が前記第３の発光層に対して平行状態で相互に積層状態になるように前記第２のＥＬ素子が配置されており、
前記第１の発光層が、発光時に、第１の平面偏光を発し、前記第２の発光層が、発光時に、第２の平面偏光を発し、前記第３の発光層が、発光時に、第３の平面偏光を発し、
前記第１の平面偏光の偏光面が、前記第２の平面偏光の偏光面に対して９０°の角度になっており、前記第３の平面偏光の偏光面が、前記第１の平面偏光の偏光面に平行になっていることを特徴とする、エレクトロルミネセンスデバイス。
【請求項２】
アノード層とカソード層との間に第１の発光層が設けられた第１のエレクトロルミネセンス（ＥＬ）素子と、アノード層とカソード層との間に第２の発光層が設けられた第２のＥＬ素子と、アノード層とカソード層との間に第３の発光層が設けられた第３のＥＬ素子とを有するエレクトロルミネセンスデバイスであって、
前記第２のＥＬ素子の上に、前記第１の発光層が前記第２の発光層に対して平行状態で相互に積層状態になるように前記第１のＥＬ素子が配置されるとともに、前記第３のＥＬ素子の上に、前記第２の発光層が前記第３の発光層に対して平行状態で相互に積層状態になるように前記第２のＥＬ素子が配置されており、
前記第１の発光層が、発光時に、第１の平面偏光を発し、前記第２の発光層が、発光時に、前記第１の平面偏光の偏光面に対して６０°になった第２の平面偏光を発し、前記第３の発光層が、発光時に、前記第１の平面偏光の偏光面に対して１２０°になった第３の平面偏光を発することを特徴とする、エレクトロルミネセンスデバイス。
【請求項３】
前記第１の発光層から発せられる光の波長と、前記第２の発光層から発せられる光の波長と、前記第３の発光層から発せられる光の波長とが相互に異なっている、請求項１または２に記載のエレクトロルミネセンスデバイス。
【請求項４】
前記第１の発光層から発せられる光が赤色であり、前記第２の発光層から発せられる光が緑色であり、前記第３の発光層から発せられる光が青色である、請求項３に記載のエレクトロルミネセンスデバイス。
【発明の詳細な説明】
【０００１】
（技術分野）
本発明は、ルミネセンスデバイスに関する。詳細には、２以上の発光領域を有するルミネセンスデバイスに関する。また、そのようなルミネセンスデバイスを組み込んだ液晶ディスプレイデバイスにも関する。
【０００２】
（背景技術）
周知のルミネセンスデバイスの１つが、エレクトロルミネセンスデバイスである。エレクトロルミネセンス（「ＥＬデバイス」）は、電子正孔再結合の結果として光を発生する。ＥＬデバイスは、通常、発光層がアノード層とカソード層の間に閉じ込められる、多層構造を有する。この発光層は、有機材料、または無機材料のいずれかであり得る。電荷キャリアの再結合が発光層内で起こり、光子が発生する。発光層に異なる材料を用いるか、または発光層に異なる駆動条件を適用することにより、ＥＬデバイスによって発せられる光の波長を変更することが可能であり、白色光を発するＥＬデバイスを製造することも可能である。
【０００３】
多くの有機発光材料が、比較的に広範な発光スペクトルおよび吸収スペクトルを有する。単色発光（ｓｉｎｇｌｅ  ｃｏｌｏｕｒ  ｅｍｉｓｓｉｏｎ）または狭い色の範囲が必要とされる場合、Ｊ．Ｋｉｄｏらの「Ｓｃｉｅｎｃｅ」Ｖｏｌ．２６７、１３３２ページ（１９９５年）に開示されているようなカラーフィルタを用いることが可能である。狭い波長範囲を得る代替的なアプローチは、Ａ．Ｄｏｄａｂａｌａｐｕｒらの「Ｊｏｕｒｎａｌ  ｏｆ  Ａｐｐｌｉｅｄ  Ｐｈｙｓｉｃｓ」Ｖｏｌ．８０、６９５４ページ（１９９６年）に記載されるように、空洞効果を用いることによって、発光スぺクトルを狭くすることである。空洞効果を用いて出力波長を狭くすることができるが、このアプローチには出力が非常に指向的になるという欠点があり、これは、広範な角度から見られることが意図されたディスプレイでは望ましくない。
【０００４】
多くの用途において、フルカラーディスプレイを提供することが望ましい。フルカラーのＥＬデバイスを得るための１つの可能な方法は、各ピクセルを３つのサブピクセルに分割し、その３つのサブピクセルを並べて置くことに関する。これらのサブピクセルのうちの１つが赤色光を発し、１つが緑色光を発し、１つが青色光を発する。このタイプのデバイスは、米国特許第５  ２９４  ８６９号に開示されている。この公知のデバイスの１つの欠点は、各色がデバイスの全活性領域の３分の１のみから発せられるために、デバイスの強度が低いことである。
【０００５】
フルカラーのＥＬデバイスを提供する１つの代替的なアプローチは、２以上のＥＬデバイスを上に積み重ねることから成る。このタイプのデバイスは、Ｐ．Ｅ．Ｂｕｒｒｏｗｓらの「Ａｐｐｌｉｅｄ  Ｐｈｙｓｉｃｓ  Ｌｅｔｔｅｒｓ」Ｖｏｌ．  ６９、Ｎｏ．２０、１９９６年１１月１１日、２９５９〜２９６１ページ、およびＳ．Ｒ．Ｆｏｒｒｅｓｔらの「Ｓｙｎｔｈｅｔｉｃ  Ｍｅｔａｌｓ」Ｖｏｌ．９１、９〜１３ページ（１９９７年）に開示されている。
【０００６】
積み重ねられた３層のＥＬデバイスを図１に概略的に示す。これは、赤色ＥＬ素子１が緑色ＥＬ素子２上に配置され、同様にして、緑色ＥＬ素子２が青色ＥＬ素子３上に配置される構成となっている。各ＥＬ素子は、カソード層（４Ｂ、４Ｇ、４Ｒ）、発光層（５Ｂ、５Ｇ、５Ｒ）、およびアノード層（６Ｂ、６Ｇ、６Ｒ）を含む。図１はＥＬ素子を相互に離れているように示しているが、実際には、各アノード−カソード界面を隔てている絶縁層上に積み重ねられている。
【０００７】
図１に示す積み重ねＥＬデバイスにおいて、各色の発光が、デバイスの活性断面積全体に渡って起こるので、デバイスの強度が、横方向に分割されたサブピクセルを用いる上述のデバイスと比べて改善される。しかしながら、図１に示すＥＬデバイスは、赤色ＥＬ素子によって発せられる光がデバイスから発せられる前に、他の２つの素子を通過しなければならず、かつ緑色ＥＬデバイスから発せられる光が青色ＥＬデバイスを通過しなければならないという欠点を有する。これは、有機発光材料が一般に、比較的に広範な発光スぺクトルおよび吸収スぺクトルを有するために、有機材料がＥＬ素子内の発光層を形成するために用いられる場合に特有の問題である。
【０００８】
Ｆｏｒｒｅｓｔらは、後に続くＥＬ素子内に吸収されている１つのＥＬ素子内で発せられる光の問題に対処しようと試みてきた。彼らは、ピーク発光波長とピーク吸収波長間にずれをもたらすストークス効果を用いた。
【０００９】
図２にストークスシフトを示す。これは、図１のＥＬデバイスの３つのＥＬ素子に関する発光スぺクトルおよび吸収スぺクトルを示す。「ａ」の文字が吸収スぺクトルを示し、「ｅ」の文字が発光スぺクトルを示す。ストークスシフトは、１つのＥＬ発光層に関する吸収スぺクトルと発光スぺクトルのずれとして現われる。Ｆｏｒｒｅｓｔらは、１つのＥＬ素子によって発せられる放射の他のＥＬ素子内での吸収を最小化するように、大きなストークスシフトを有する材料を選択した。
【００１０】
Ｆｏｒｒｅｓｔらによって提案されたデバイスは、以下の欠点を有する。まず、ストークスシフトが大きな材料のみを使用する必要があるために、ＥＬ素子の発光層の材料選択が限定される。さらに、Ｆｏｒｒｅｓｔらは、図１に示す赤色、緑色、および青色ＥＬ素子を特定の順序で使用するように制約されるので、（低エネルギーの）赤色光が、後でより高いバンドギャップを有する発光層を通過する。しかしながら、たとえ赤色光が緑色および青色ＥＬ素子内の発光層のバンドギャップを渡って吸収されなくとも、青色および緑色ＥＬ素子を通過するときに、いくらかの赤色光の吸収が必然的に起こる。赤色ＥＬ素子は、現在、赤色、緑色、および青色ＥＬ素子のうちで最低の強度を有する。よって、Ｆｏｒｒｅｓｔらが必要とするように後方に配置するのではなく、赤色素子を前方に置くことにより、赤色光が緑色および青色ＥＬ素子を通過する必要がなくなることが望ましい。
【００１１】
従来技術のさらなる欠点は、ＥＬデバイスが（図１に示すような）前方向、および後方向の両方に光を発することである。前方向に発せられる光を利用することと同様に、デバイスの強度を増すためには、後方向に発せられる光を利用することが望ましい。図１の赤色ＥＬ素子の上にミラー（図示せず）を設けることにより、後方向に発せられる光を、青色ＥＬ素子３に向けて、逆に反射させることが可能である。しかしながら、緑色または青色ＥＬ素子によって後方向に発せられる光は、赤色ＥＬ素子を２回（ミラーに達する前に１回と、反射された後に１回）通過しなければならず、著しい吸収が起こる。よって、たとえミラーが設けられたとしても、後方向に発せられる光の多くが失われる。
【００１２】
有機発光層を有するＥＬデバイスにおいて、発光層は、通常、蒸着するか、またはスピンダウンされる。これにより、偏光方向を有さない光を発するアモルファス発光層が生成される。多くの用途において、偏光を発する有機ＥＬデバイスを生成することが望ましい。
【００１３】
ある程度の偏光方向を有する光を発する有機ＥＬデバイスを提供する１つの公知のアプローチは、ある程度の配向を備えた有機発光層を蒸着することである。これは、ラングミュア−ブロジェット蒸着等の技術によって、有機発光層を機械的に変形させるか、または純粋な共役ポリマー発光層を研磨することで行うことが可能である。１つの代替的な技術は、ポリテトラフルオロエチレンまたはポリイミド等のよくアライメントされた配向層上にポリマー層を蒸着することであるか、またはポリマー層を引き伸ばすことによる。さらなる公知技術が、Ｗｅｄｅｒらの「Ａｄｖａｎｃｅｄ  Ｍａｔｅｒｉａｌｓ」Ｖｏｌ．９、１０３５ページ（１９９７年）によって開示されており、ここでは、ゲスト−ホストシステムの引張り変形（ｔｅｎｓｉｌｅ  ｄｅｆｏｒｍａｔｉｏｎ）により、ゲスト分子がホストの配向を取り入れることを開示している。
【００１４】
ある程度の偏光方向を有する光を発する有機発光層を提供する１つの代替的なアプローチは、偏光されたＵＶ光を用いる高分子材料の交差結合である。この方法では機械的研磨工程がなく、これは、研磨によって有機層に電荷、異質物、および汚れがもたらされ得るため、望ましい。Ｍ．Ｈａｓｅｇａｗａらの「Ｊ  Ｐｈｏｔｏｐｏｌｙｍ  Ｓｃｉ  Ｔｅｃｈｎｏｌ」Ｖｏｌ．８、２４１ページ（１９９５年）、Ｍ．Ｓｃｈａｄｔらの「Ｊａｐａｎｅｓｅ  Ｊｏｕｒｎａｌ  ｏｆ  Ａｐｐｌｉｅｄ  Ｐｈｙｓｉｃｓ」Ｖｏｌ．３１、２１５５ページ（１９９２年）、およびＭ．Ｓｃｈａｄｔらの「Ｎａｔｕｒｅ」Ｖｏｌ．３８１、２１２ページ（１９９６年）が、偏光されたＵＶ光による交差結合に関する研究を開示している。ＷＯ９７０７６５３Ａは、光を照射するためのエレクトロルミネセンス材料と、反射偏光多層光フィルター（ｒｅｆｌｅｃｔｉｎｇ  ｐｏｌａｒｉｚａｔｉｏｎ  ｍｕｌｔｉ−ｌａｙｅｒｅｄ  ｏｐｔｉｃａｌ  ｆｉｌｍ）の組み合わせから成り、偏光がその中を通過することができるエレクトロルミネセンスランプを開示している。
【００１５】
（発明の開示）
本発明の第１の局面は、第１および第２の発光領域を有するルミネセンスデバイスを提供し、第１の発光領域が、使用時に、第１の偏光を発し、第２の発光領域が、使用時に、第１の偏光とは異なる第２の偏光を発する。本発明のこの局面によるルミネセンスデバイスは、発せられた光の性質がデバイスの面積に渡って変化する偏光を発する、パターン化された発光体を生成するために用いることができる。あるいは、本発明のこの局面によるデバイスは、上記で概説した従来技術の積み重ねＥＬデバイスの問題を克服するために、積み重ねデバイスとして実現することができる。
【００１６】
第１の発光領域は、使用時に、第１の偏光方向を有する光を発し得、第２の発光領域は、使用時に、第１の偏光方向とは異なる第２の偏光方向を有する光を発し得る。第１および第２の発光領域のそれぞれは、使用時に、平面偏光を発し得、第１の発光領域によって発せられた光の偏光面は、第２の発光領域によって発せられた光の偏光面とは異なり得る。この２つの発光領域が独立して制御できる場合、デバイスによって発せられる光の偏光方向を変更することが可能である。
【００１７】
第１の発光領域によって発せられた光の偏光面は、第２の発光領域によって発せられた光の偏光面に対して実質的に９０°の角度にあり得る。第１および第２の発光領域が、第１の発光領域からの光が第２の発光領域通過しなければならないように積み重ねられる場合、この２つの発光領域の偏光方向のずれは、第１の発光領域によって発せられた光が第２の発光領域内で著しく吸収されないので、積み重ねＥＬデバイス内での光の損失が低減されることを意味する。
【００１８】
第１および第２の発光領域は、並んで配置される得る。あるいは、第１の発光領域は、第２の発光領域の上に配置され得る。
【００１９】
上記デバイスは第３の発光領域をさらに含み、第１の発光領域が第２の発光領域の上に配置され、第２の発光領域が第３の発光領域の上に配置され得る。この３つの発光領域が独立して制御可能であり、且つ相互に異なる波長の光を発する場合、フルカラーの発光デバイスを得ることができる。
【００２０】
第３の発光領域は、第１および第２の偏光方向のうちの少なくとも１つと異なる、第３の偏光方向を有する偏光を発し得る。第１の発光領域、第２の発光領域、および第３の発光領域が平面偏光を発し得、第２の発光領域によって発せられた光の偏光面が、第１の発光領域によって発せられた光の偏光面に対して実質的に６０°にあり、第３の発光領域によって発せられた光の偏光面が、第１の発光領域によって発せられた光の偏光面に対して実質的に１２０°にあり得る。これによっても、第２および第３の発光領域を通過するときに、第１の発光領域によって発せられた光の吸収が低減され、また、第３の発光領域を通過するときに、第２の発光領域によって発せられた光の吸収も低減される。
【００２１】
第１の発光領域は、使用時に、第１の波長を有する偏光を発し得、第２の発光領域は、使用時に、第１の波長とは異なる第２の波長を有する偏光を発し得る。この２つの発光領域が独立して制御可能である場合、デバイスによって発せられる光の波長を変更することが可能である。
【００２２】
第１および第２の発光領域はそれぞれ、使用時に、平面偏光を発し得る。第１の発光領域によって発せられた光の偏光面は、第２の発光領域によって発せられた光の偏光面に対して実質的に平行であり得る。あるいは、第１および第２の発光領域はそれぞれ、使用時に、円偏光を発し得、第１および第２の発光領域はそれぞれ、使用時に、円偏光を発し得る。第１の発光領域によって発せられる光の偏光方向の向きは、第２の発光領域によって発せられる光の偏光方向の向きと同じであり得る。
【００２３】
上記デバイスはエレクトロルミネセンスデバイスであり得る。
【００２４】
本発明の第２の局面は、第１および第２の発光領域を有するルミネセンスデバイスを提供し、第１の発光領域内の発光分子が、実質的に第１の方向にアライメントされ、第２の発光領域内の発光分子が、実質的に第２の方向にアライメントされ、第２の方向は第１の方向と異なる。第１の発光領域は、使用時に、第１の偏光方向を有する光を発し得、第２の発光領域は、使用時に、第１の偏光方向とは異なる第２の偏光方向を有する光を発し得る。発せられた光の偏光方向は、発光分子のアライメントにより生じ、第１および第２の発光領域から発せられた光の偏光方向の相違は、２つの発光領域の異なるアライメント方向に基づく。あるいは、第１の発光領域は、使用時に、第２の発光領域によって使用時に発せられる光と異なる波長を有する光を発し得る。
【００２５】
本発明の第３の局面は、バックライトの上に配置される液晶材料の層を含み、バックライトが、ルミネセンス層、使用時に第１の波長で偏光を発するルミネセンス層の第１の部分、および使用時に第２の波長で偏光を発するルミネセンス層の第２の部分を含む。
【００２６】
上記デバイスは、第１の波長の光を透過させるための第１のカラーフィルタ、および第２の波長の光を透過させるための第２のカラーフィルタをさらに含み得、第１および第２のカラーフィルタのそれぞれは、ルミネセンス層の第１および第２の部分のうちのそれぞれ１つとアライメントされる。
【００２７】
ルミネセンス層の第１および第２の部分が平面偏光を発し得る。ルミネセンス層の第１の部分によって発せられた光の偏光面が、ルミネセンス層の第２の部分から発せられた光の偏光面に対して実質的に平行であり得る。あるいは、ルミネセンス層の第１および第２の部分は、円偏光を発し得る。
【００２８】
上記ルミネセンス層は、エレクトロルミネセンス層であり得る。
【００２９】
本発明の第４の局面は、ルミネセンスデバイスの発光領域を製造する方法を提供する。上記方法は、蒸着方向が基板に対して斜めである、基板上にアライメント層を蒸着させる工程、および発光分子の蒸着方向が基板に対して実質的に垂直である、アライメント層上に発光分子を蒸着させることにより、発光層を形成する工程を含む。
【００３０】
発光層内の分子の配向は、アライメント層のアライメント方向によって制御され、これは、アライメント層が蒸着されるときの蒸着方向と基板との角度に依存する。この方法は、斜めに堆積されたアライメント層の上に各発光層を成長させることによって、一方の発光層内の発光分子が、他方の発光層内の発光分子とは異なる方向にアライメントされる、２（以上）の発光層を有する積み重ねＥＬデバイスを製造するために用いることができる。
【００３１】
（発明を実施するための最良の形態）
次に、本発明の好適な実施形態を、添付の図面を参照しながら例示として説明する。
【００３２】
図３は、本発明による２層のルミネセンスデバイスの概略図である。これは、アノード２１、発光層２２、およびカソード層２３を含む第１のＥＬデバイス２０を有する。これは、アノード層２５、発光層２６、およびカソード層２７から成る第２のＥＬデバイス２４上に配置される。
【００３３】
２つの発光層２２、２６は、異なる波長、または同じ波長の光を発し得る。この２つの発光層は、相互に独立して制御することが可能である。
【００３４】
発光層２２、２６は、実質的に平面偏光された光（以後、便宜上「平面偏光」と呼ぶ）を発する。発光層によって発せられる光の偏光面は、第２のＥＬ素子２４の発光層２６によって発せられる光の偏光面に対して９０゜にある。
【００３５】
発せられた光の偏光方向は、発光層内の発光分子を、発光層の平面内で全て実質的に同じ方向にアライメントされるように配向することによって得られる。平面偏光の電界ディレクターは、発光分子のアライメント方向と垂直である。
【００３６】
発光分子は、電界ディレクターがその長さ方向と平行である光を吸収できない。よって、図３に示すデバイスにおいて、第２のＥＬ素子の発光層２６内の発光分子は、吸収方向に対して９０°に平面偏光されるため、第１のＥＬ素子によって発せられる光を吸収することができない。結果として、第２のＥＬ素子２４の発光層内における第１のＥＬ素子２０によって発せられる光の吸収がなくなるか、または少なくとも大幅に低減される。
【００３７】
本発明は、従来技術に対して多くの利点を有する。まず、あるＥＬ素子が発する光の別のＥＬ素子内での吸収が、その光を偏光することによって実質的に妨げられるので、発光層の選択を、Ｆｏｒｒｅｓｔらの場合のように、ストークスシフトが大きい材料に限定する必要がない。これは、より多くの材料をＥＬ素子に用いることができることを意味する。
【００３８】
さらに、ＥＬ素子が異なる波長の光を発する場合において、波長が短いＥＬ素子の後に、波長が長いＥＬ素子を置く必要がない。よって、赤色ＥＬ素子を、デバイスの前方に配置することが可能であり、これは、上記のとおり、赤色ＥＬ素子が他の波長の光を発するＥＬ素子よりも強度が低い傾向があるために、望ましい。
【００３９】
あるＥＬ素子が発する光の他のＥＬ素子内での吸収が、光の偏光方向によって妨げられるので、２つのＥＬ素子が同じ波長で発光することが可能でさえある。２つのＥＬ素子が独立して制御可能であるので、これによって、出力光の偏光方向の状態を容易に変更する性質を備えた、偏光を発するデバイスが生成される。
【００４０】
あるＥＬ素子が発する光が、光の偏光方向のために、他のＥＬ素子によって吸収されないので、ここでは、デバイスの後方にミラーを設けることによって、後方向に発せられる光を利用することが可能である。
【００４１】
本発明は、２層のＥＬデバイスに限定されず、３以上の層を有するＥＬデバイスにも適用することが可能である。３層のＥＬデバイスに適用された本発明を示す１つの例を図４に示す。図３に示すデバイスと比較して、図４に示すデバイスは、アノード層２９、発光層３０、およびカソード層３１を有する第３のＥＬ素子２８をさらに含む。３つのＥＬ素子は独立して制御可能であり、赤色、緑色、および青色等の３つの異なる波長で光を発するＥＬ素子が用いられる場合、フルカラーディスプレイを得ることができる。
【００４２】
発光層３０は、第１のＥＬ素子２０の発光層２２によって発せられる光と同じ方向に平面偏光され、且つ第２のＥＬ素子２４の発光層２６によって発せられる光の偏光面に対して９０°に平面偏光される光を発するように構成される。偏光方向の方向が異なるため、緑色発光層は、赤色ＥＬデバイスによって発せられる赤色光を吸収することが不可能であり、青色発光層は、緑色ＥＬ素子によって発せられるいずれの緑色光も吸収することが不可能である。しかしながら、赤色発光層２２および青色発光層３０が、同じ方向の偏光方向を有する光を発するように構成されるので、青色発光層が赤色ＥＬ素子によって発せられた光を吸収することが可能である。しかしながら、図２に示すとおり、赤色発光層に関する発光スぺクトルは、青色発光層に関する吸収スぺクトルから十分遠くに離れているので、青色発光層内での赤色光の著しい吸収が起こる見込みは低い。
【００４３】
緑色ＥＬ素子の発光層に適した材料は、ＰＰＶである。赤色ＥＬ素子の発光層に適した材料は、ＰＰＶ内のＤＣＭ／ＮＩＲである。（ＤＣＭは、４−（ジシアノメチレン）−２−メチル−６−（４−ジメチル−６−（４−ジメチルアミノスチリル）−４Ｈ−ピランであり、ＮＩＲはナイルレッドである。）青色ＥＬ素子に適した発光材料は、ポリカーボゾール内のジスチリルベンゼンである。
【００４４】
３層のＥＬデバイスの１つの代替的な構成を図５ａに概略的に示す。図４のデバイスと同様に、これは、赤色ＥＬ素子２０、緑色ＥＬ素子２４、および青色ＥＬ素子２８から成る。この３つのＥＬ素子の発光層２２、２６、および３０もまた、平面偏光を発するように構成されている。
【００４５】
図５ａの実施形態において、緑色ＥＬ素子２４の発光層２６は、赤色ＥＬ素子の発光層２２によって発せられる平面偏光の方向に対して６０°に平面偏光される光を発するように構成される。青色ＥＬ素子２８は、緑色ＥＬ素子２４によって発せられる光の偏光面に対して６０°に、そして赤色ＥＬ素子２０によって発せられる光の偏光面に対して１２０°に平面偏光される光を発する。３つのＥＬ素子によって発せられる赤色、緑色、および青色光の偏光方向を、図５ｂに概略的に示す。
【００４６】
赤色および緑色光の偏光面が直交していないので、緑色ＥＬ素子の発光層２６内で、赤色光の吸収がわずかにある。しかしながら、約（ｃｏｓ2６０）倍だけ低減され、すなわち、ＥＬ素子が偏光されない光を発した場合に起こる吸収の約４分の１になる。同様に、青色ＥＬ素子の発光層３０は、赤色および緑色光の両方を吸収するが、この吸収は、アモルファス発光層が用いられる場合と比較して、（ｃｏｓ2６０）倍だけ低減される。
【００４７】
図４に示す構成、または図５ａに示す構成が好ましいかどうかは、３つのＥＬ素子の相対強度等の要因に依存する。
【００４８】
上述の実施形態においては、デバイスの２以上のルミネセンス部が、積み重ねデバイスを生成するために、上下に配置された。しかしながら、本発明は、積み重ねデバイスには限定されず、２以上のルミネセンス領域が並んで配置されるデバイスにも適用することができる。ルミネセンス領域が並んで配置される場合、偏光のパターン化された発光体を得ることが可能であり、そのデバイスによって発せられる光の性質がデバイスのエリアに渡って変化する。例えば、そのデバイスによって発せられる光の波長は、デバイスのエリアに渡って変化することが可能であり、またはデバイスによって発せられる光の偏光方向が、デバイスのエリアに渡って変化することが可能である。
【００４９】
本発明によるパターン化された偏光発光デバイスを図６ａに概略的に示す。このデバイスは、並んで配置された２つの発光領域３４、３５を含む。この２つの発光領域は、実質的に同じ波長を有するが、異なる偏光方向を有する光を発する。図６ａに示すとおり、領域３４、３５の両方が平面偏光を発するが、一方の領域によって発せられた光の偏光面は、他方の領域によって発せられた光の偏光面に対して実質的に９０°にある。この２つの発光領域は独立して制御可能であるので、デバイスによって発せられた光の偏光方向を変更することが容易にできる。発光領域は、ルミネセンス領域、例えば、エレクトロルミネセンス領域であることが可能である。
【００５０】
図６ａにおいて、この２つの領域が、同じ波長であるが異なる偏光方向を有する光を発する。あるいは、この２つの領域が、例えば、同じ方向に平面偏光された、同じ偏光方向を有するが、波長が異なる光を発することが可能である。よって、デバイスは、波長スぺクトルを容易に変更することが可能である偏光のソースを提供する。
【００５１】
図６ａのデバイスの２つの領域３４、３５が、楕円偏光または円偏光等の平面偏光以外の偏光方向を有する光を発することも可能である。
【００５２】
本発明のさらなる実施形態を図６ｂに示す。これは２層のデバイスであり、第１のＥＬ素子３１が第２のＥＬ素子３２の上に配置されるている。これらのＥＬ素子のそれぞれは、横方向に３つの発光エリアに細分化される。第１のＥＬ素子３１は、緑色光を発する発光エリア３１Ａ、および青色光を発する２つのエリア３１Ｂ、３１Ｃを有する。第２のＥＬ素子３２は、赤色光を発する２つのエリア３２Ａ、３２Ｂ、および緑色光を発するエリア３２Ｃを有する。この２つのＥＬ素子は、第１のＥＬ素子の発光エリアが第２のＥＬ素子３２の発光エリア上に直接配置されるように構成される。各ＥＬ素子の隣接する発光エリアは、非発光領域３３によって隔てられる。発光エリアは、独立して制御される。
【００５３】
図６ｂに示すとおり、２つのＥＬ素子は共に、平面偏光を発するように構成され、第１のＥＬ素子３１によって発せられる光が、第２のＥＬ素子３２によって発せられる光に対して９０°に偏光される。これは、一方のＥＬ素子によって発せられる光が、他方のＥＬ素子の発光層内で吸収されないことを意味する。
【００５４】
図７は、本発明のさらなる実施形態を示す。これは１層のＥＬ素子であり、発光層が４つの発光領域３４、３５、３６、３７に分割される。発光領域は全て、平面偏光を発するが、領域３４、３７の２つが、ある方向に平面偏光される光を発し、他の２つの領域３５、３６が、領域３４、３７によって発せられた光の偏光方向に対して９０°に平面偏光される光を発する。この４つの発光領域３４、３５、３６、３７は、相互に独立して制御可能である。４つの発光領域が、実質的に同じ波長で発光する場合、ＥＬ素子からの光の偏光方向は、例えば、発光領域３４、３７をオフにし、発光領域３５、３６をオンにすることによって、容易に変えることが可能である。
【００５５】
関連する実施形態を図８に示す。これは１層のＥＬ素子であり、ここでは、発光層が、赤色発光領域３８、緑色発光領域３９、および青色発光領域４０を有する。赤色、緑色、および青色発光領域が、今度は、ある方向に平面偏光された光を発する領域（４１、４３、４５）、および直交方向に平面偏光された光を発する他の領域（４２、４４、４６）に分割される。よって、図８に示すＥＬデバイスはフルカラー出力を提供し、その偏光状態は、容易に変更することができる。このようなＥＬ素子は、例えば、３−Ｄディスプレイデバイスにおいて用いることができる。本実施形態の改変例（図示せず）において、領域４１、４３、４５が、ある向きにおいて、円偏光する光を発し、領域４２、４４、４６が、逆の向きにおいて、円偏光する光を発する。
【００５６】
図９は、バックライトとしてルミネセンス素子を組み込んだ液晶ディスプレイデバイスを示す。
【００５７】
この液晶ディスプレイは、１対の基板６１、６２の間に液晶材料の層６０を配置した構成である。液晶層の各ピクセル全体に電圧を印加するための１以上の電極６５、６６が基板上に設けられ、アライメント層６３、６４が、それぞれ、その上に電極が配置されている基板上に配置される。図９の実施形態において、デバイスは、アクティブマトリクスデバイスであるので、下側基板６２上の電極６６がピクセル電極であり、単一の電極６５が共通電極として上側基板６１上に設けられている。あるいは、図９のデバイスは、パッシブアドレシング液晶デバイスとして実現することが可能であり、その場合は、行電極が一方の基板上に設けられ、列電極が他方の基板上に設けられる。
【００５８】
図９に示すＬＣＤは、フルカラーディスプレイデバイスである。第１のピクセルが、赤色カラーフィルタ６７Ｒを備え、第２のピクセルが緑色フィルタ６７Ｇを備え、第３のピクセルが青色フィルタ６７Ｂを備える。図９には、３つのピクセルのみを示すが、実際には、このデバイスは３よりも多くのピクセルを含む。
【００５９】
図９のＬＣＤは、バックライト６８を備える。バックライトは、パターン化され、線形偏光された発光体から形成される。図９に示すバックライト６８は、線形偏光された赤色光を発する第１の発光素子６８Ｒ、線形偏光された緑色光を発する第２の発光素子６８Ｇ、および線形偏光された青色光を発する第３の発光素子６８Ｂを含む。赤色、緑色、および青色発光素子６８Ｒ、６８Ｇ、６８Ｂは、横方向に配置され、それぞれ、赤色、緑色、および青色フィルタ６７Ｒ、６７Ｇ、６７Ｂと対向して位置する。
【００６０】
赤色、緑色および青色発光素子６８Ｒ、６８Ｇ、６８Ｂは、原則として、偏光を発する任意のルミネセンスデバイスから形成される。１つの好適な実施形態において、これらは、素子が平面偏光を発するように、発光分子が配向されたＥＬ素子である。３つのＥＬ素子６８Ｒ、６８Ｇ、６８Ｂ内の発光分子は、３つのＥＬ素子がほぼ同じ偏光面において平面偏光される光を発するように配向される。
【００６１】
線形偏光子６９が上側基板６１の上面の上に設けられており、これは、発光素子６８Ｒ、６８Ｇ、６８Ｂによって発せられる光の偏光面に対して９０°である透過軸を備えるように構成される。液晶層のピクセルに印加される電圧は、液晶層がピクセル内の発光素子によって発せられる光の偏光面を回転させないように、印加される場合、発光素子によって発せられた光が線形偏光子６９によって遮られ、ピクセルが暗く見える。しかしながら、ピクセル内の発光素子によって発せられる光の偏光面が９０°回転されるように、ピクセル全体に渡って電圧が印加される場合には、光が線形偏光子６９によって透過され、ピクセルが明るく見える。
【００６２】
原則的には、発光素子６８Ｒ、６８Ｇ、６８Ｂは全て、偏光子６９の透過軸に実質的に９０°に平面偏光される光を発し、ＬＣＤ内にはさらなる光学構成要素は必要とされない。しかしながら、発光素子によって発せられる光が非偏光構成要素を含む場合、ディスプレイのコントラストは低下する。これを防ぐために、図９のデバイスは、好ましくは、発光素子６８Ｒ、６８Ｇ、６８Ｂと液晶層６０との間に配置される第２の線形偏光子７０を備える（図９において、この第２の偏光子７０は、下側基板６２の下面に配置される）。第２の偏光子７０の透過軸は、第１の偏光子６９の透過軸に対して９０°に配置され、よって、発光素子６８Ｒ、６８Ｇ、６８Ｂによって発せられる光の偏光面と実質的に平行である。第２の偏光子７０は、発光素子によって発せられるいずれの非偏光も、第１の偏光子６９の透過軸に対して９０°に偏光される平面偏光に変換される。
【００６３】
図９において、デバイスが斜めの角度で見られるときに起こる視差の問題を防ぐために、発光素子６８Ｒ、６８Ｇ、および６８Ｂは、ＬＣＤの下側基板の近くに位置する。あるいは、発光素子６８Ｒ、６８Ｇ、６８Ｂを、ＬＣＤの下側基板６２から少し離して配置し、例えば、発光素子と下側基板６２の間にマイクロレンズアレイ等の視準素子を配置することも可能である。
【００６４】
図１０は、バックライトを備えた液晶ディスプレイデバイスの別の実施形態を示す。この実施形態は、透過反射型ディスプレイデバイスである。
【００６５】
図９の実施形態と同様に、図１０の液晶ディスプレイデバイスは、上側基板６１と下側基板６２の間に配置された液晶層６０を含む。基板はそれぞれ、１以上の電極６５、６６、およびアライメント層６３、６４を備える。赤色、緑色、および青色カラーフィルタ６７Ｒ、６７Ｇ、６７Ｂが上側基板上に配置され、赤色、緑色および青色発光素子６８Ｒ、６８Ｇ、６８Ｂが個々のカラーフィルタと対向して下側基板上に配置される。線形偏光子６９が上側基板６１の上に配置される。
【００６６】
図１０のデバイスは、透過反射型デバイスであり、赤色、緑色、および青色発光素子の下に配置されるレフレクタ７３を含む。リターダ７１が、線形偏光子６９と液晶層との間に配置される。
【００６７】
ＬＣＤのバックライトを形成する発光素子６８Ｒ、６８Ｇ、６８Ｂが、円偏光を発する。
【００６８】
作動時に、液晶層およびリターダ７１によって生じる全体的なリターデーションが０とλ／４の間、またはλ／２とλ／４の間に切換えられるように、液晶層６０のピクセル全体に渡って印加される電圧が切換えられる。１つのピクセルに対する液晶層６０およびリターダ７１の全体的なリターデーションが、λ／４（またはｎλ／２＋λ／４、ここでｎは整数である）である場合、上方からデバイスに入射する周辺光はそのデバイスによって反射されない。上方からデバイスに入射する光が、偏光子６９によって平面偏光され、リターダ７１および液晶層６０を通過した結果、円偏光に変換される。レフレクタ７３に反射した後、光は、液晶層およびリターダを再度通過して、平面偏光に再変換される。しかしながら、光の円偏光の向きは、レフレクタ７３に反射した結果、変化しているので、結果的な平面偏光は、実際には、偏光子６９の透過軸に対して９０°に偏光される。よって、デバイスに入射する周辺光は反射されない。さらに、発光素子によって発せられる円偏光は平面偏光に変換され、偏光子６９は、透過軸がこの光の偏光面に対して９０°であるように構成される。よって、発光素子６８Ｒ、６８Ｂ、６８Ｇによって発せられる光は、線形偏光子６９を通過することができない。よって、ピクセルは暗状態（ｄａｒｋ  ｓｔａｔｅ）である。
【００６９】
他方において、１つのピクセルに対する液晶層６０およびリターダの全体的なリターデーションが、０またはλ／２（もしくはλ／２の任意の整数倍）であるとき、周辺光がデバイスによって反射され、発光素子６８Ｒ、６８Ｇ、６８Ｂによって発せられた光が、すくなくとも部分的に、偏光子６９を透過するので、ピクセルは明状態（ｂｒｉｇｈｔ  ｓｔａｔｅ）である。
【００７０】
カラーフィルタ６７Ｒ、６７Ｇ、６７Ｂは、主に反射周辺光とともに使用するために設けられる。発光領域をカラーフィルタの吸収範囲と同様の波長範囲で吸収するように構成することが可能である場合、カラーフィルタを薄くするか、またはカラーフィルタを全くなくしてしまうことが可能である。
【００７１】
図１０において、発光領域６８Ｒ、６８Ｇ、６８Ｂが下側基板６２の下面に配置される。しかしながら、それらはこの場所に限定されず、デバイス内の他の場所に配置することが可能である。
【００７２】
ＬＣＤの前面からの光の鏡面反射を低減するために、散乱フィルム７２をＬＣＤの上側基板上に配置することができる。
【００７３】
発光分子が特定の方向にアライメントされる発光層を有するＥＬ素子を生成する１つの方法は、反応性メソゲンＲＭ２５７（Ｍｅｒｃｋ  Ｌｔｄ．より入手可能）等の流体に発光分子を懸濁することを含む。次に、全てが特定の方向にアライメントされるように、分子が配向される。これは、例えば、電界または磁界を印加することによって行うことが可能である。次いで、流体マトリクスが「固定」されるので、発光分子はそれ以上マトリクス内を移動することが不可能である。このマトリクスは、例えば、マトリクスをＵＶ光で照らすことによって固定することができる。よって、マトリクス内の発光分子のアライメント方向が設定される。その後、電界または磁界を取り除くことが可能である。
【００７４】
流体マトリクス全体を固定する代わりに、流体マトリクスの選択した部分のみを固定することが可能である。これは、例えば、流体マトリクスをマスクパターンを介して照射することによって行うことができるので、選択したエリアだけが照射される。図７に示すデバイスは、領域３４および３７で必要とされる方向に発光分子をアライメントするように電界を印加し、且つその領域内のマトリクスを固定するようにエリア３４、３７だけを照射することによって生成することができる。印加された電界の方向が、次いで、領域３５、３６内の発光分子を正確に配向されるように変更され、その後に領域３５、３６がそのエリア内のマトリクスを固定するように照射される。
【００７５】
次に、異なるＥＬ層内の発光分子が異なる方向に配向される、積み重ねＥＬ素子を製造する１つの可能な方法を、図１１（ａ）〜（ｆ）を参照して述べる。図１１（ａ）〜（ｆ）は、２つのＥＬ層を有する積み重ねＥＬ素子の製造に関するが、この方法は、任意の数のＥＬ層を有する積み重ねＥＬ素子に適用することができる。
【００７６】
ＥＬ素子５０は、その上にアノード電極５２を設けた基板５１上に成長する。図１１（ａ）において、第１の無機アライメント層５３が、アノード電極５２上に蒸着させられる。第１のアライメント層５３の蒸着は、蒸着方向が基板５１に対して斜めになるように行われ、アライメント層のアライメント方向は、蒸着方向と基板との角度に依存する。このことは、液晶等の異方性材料の技術分野では周知である。
【００７７】
図１１（ｂ）において、第１のＥＬ発光層５４が、アライメント層５３上に蒸着させられる。発光層５４の蒸着は、蒸着方向が基板５１に対して実質的に垂直になるように行われる。発光層５４の分子は、蒸着面に対して平行または垂直のいずれかになるように、アライメント層５３によってアライメントされる。
【００７８】
図１１（ｃ）において、第２の無機アライメント層５５が、発光層５４上に蒸着させられる。第２のアライメント層５５の蒸着は、蒸着方向が基板５１に対して斜めになるように行われる。蒸着方向と基板との角度は、図１１（ｃ）においては、図１１（ａ）とは同じではないので、第２のアライメント層５５のアライメント方向は、第１のアライメント層５３のアライメント方向と同じではない。
【００７９】
図１１（ｄ）において、第２のＥＬ発光層５６が、第２のアライメント層５５上に蒸着させられる。第２の発光層５６の蒸着は、蒸着方向が基板５１に対して実質的に垂直になるように行われる。第２の発光層５６の分子は、蒸着面に対して垂直または平行のいずれかになるように、第２のアライメント層５５によってアライメントされるので、第１の発光層５４内の分子と異なる方向にアライメントされる。
【００８０】
最後に、図１１（ｅ）において、カソード電極５７が、第２の発光層５６上に蒸着させられる。カソード電極５７の蒸着が、蒸着方向が基板５１に対して実質的に垂直になるように実行される。完成したＥＬ素子の構造を図１１（ｆ）に示す。
【００８１】
アノード層５２および第１のアライメント層５３を単一の層に結合することが可能である。この層は、図１１（ａ）に示すような斜めの蒸着によって堆積されるべきである。
【００８２】
アノード電極５２と第１のアライメント層５３の間、または第２の発光層５６とカソード電極５７の間にさらなる輸送層（ｔｒａｎｓｐｏｒｔ  ｌａｙｅｒ）を設けることが可能である。
【００８３】
図１１（ａ）〜（ｆ）の方法は、３以上の発光層を有する積み重ねＥＬ素子を成長させるために用いることができる。各発光層の前に、斜めに蒸着されたアライメント層を置くことが単に必要である。
【００８４】
本発明のさらなる実施形態を図１２に示す。これは１層のＥＬデバイスであり、ここでは、発光層が２つの領域に分割される。
【００８５】
発光層によって発せられる光の波長を、発光分子を配向することによって変更することも可能である。発光分子には、印加された電界で配向されるときに、発光波長に変化を示すものがあることは公知である。そのような化合物の一例としては、Ｓ．Ｎｉｌａｒらの「Ｊｏｕｒｎａｌ  ｏｆ  Ａｐｐｌｉｅｄ  Ｐｈｙｓｉｃｓ」、Ｖｏｌ．８２、５１４ページ（１９９７年）によって報告されるような、ＮＩＲ（ナイルレッド（Ｎｉｌｅ  Ｒｅｄ））がある。ＮＩＲを含むＥＬデバイスは、通常、５７８ｎｍのピーク波長を有する光を発する。しかしながら、発光分子が、例えば、電界を印加することによって、発光層に対して垂直になるようにアライメントされる場合、発光波長は５２１ｎｍに変わる。
【００８６】
図１２に示すデバイスにおいて、ＮＩＲを含む発光層の一部が、発光層に対して垂直であるＮＩＲ分子をアライメントするように電界を受ける。領域４７が、次いで、垂直アライメントのＮＩＲ分子を固定するために、選択的に固定される。電界を取り除く際には、固定されていない領域４８内の分子が、平行方位に再度緩和される。よって、発光層の領域４７は、５２１ｎｍのピーク波長を有する光を発する一方で、発光層の領域４８は、５７８ｎｍのピーク波長を有する光を発する。２つの領域４７、４８が、相互に独立して制御可能である場合、デバイスの出力波長を、例えば、領域４７をオフに、領域４８をオンに単に切換えることによって変更することが可能である。
【００８７】
図１２に示すデバイスはまた、ホメオトロピックアライメントに好ましい領域、および平面配向アライメントに好ましい領域に、表面をパターン化する技術を用いて生成することができる。適切な技術が、同時係属中の英国特許出願第９８２２７６２．２号に記載されている。
【００８８】
本発明によるデバイスは、上記方法以外の方法によって製造することができる。実際、原則として、偏光を発するエレクトロルミネセンス層を提供する任意の方法によって製造することができる。配向ポリマー、または配向有機材料を提供する任意の方法を用いることができる。例えば、発光層内の発光分子が、発光層が堆積されるときに、基板上のパターンによって配向されるように、基板をパターン化することが可能である。用いることができる技術は以下を含むが、それらには限定されない。
【００８９】
ｉ）    形態学的にパターン化された表面。
【００９０】
ｉｉ）  マスクされ、繰り返し研磨されたポリマーアライメント層、ここで、１つの研磨工程が、層のマスクされていないある部分で実行され、その後に研磨された部分がマスクされ、層の別の部分が異なる方向に研磨される。
【００９１】
ｉｉｉ）ポリマーアライメント層を研磨する工程、およびその後に、マスクを介してＵＶ光に露光することにより、アライメント層の選択エリアで結合破壊を生じる。
【００９２】
用いることができる別の可能な方法は、均一なアライメント方向を得るために、発光材料を、偏光ＵＶ光を用いて交差結合することである。これは周知技術であり、偏光ＵＶ光で照射されたシンナマートポリマーの交差結合を示す図１３に示される。
【００９３】
分子の均一なアライメント方向を得るために偏光ＵＶ光を用いたポリマー材料の交差結合は、有機ＥＬデバイス内の発光層のアライメントに特に有用である。これらのデバイスは、しばしば、数層の材料を連続してスピンコーティングすることによって生成される。この場合、相互に不溶性である、専用溶剤が多層デバイス内の異なるポリマー層のために用いられることが重要である。
【００９４】
周知のポリマーＵＶ交差結合できる材料が、ＵＶ放射での照射の前に、基板上に堆積される。この堆積は、例えば、材料をスピンダウンすることによって実行することができる。
【００９５】
１つの代替的な方法は、異方性発光液晶ポリマー、またはＬＭＭ層を、ＵＶ放射で照射および偏光されたＵＶ感応性アライメント薄層（ｔｈｉｎ  ＵＶ  ｓｅｎｓｉｔｉｖｅ  ａｌｉｇｎｍｅｎｔ  ｌａｙｅｒ）の上に堆積することである。液晶ポリマーは、高温で配向することができ、これにより、デバイスの作動温度で配向ガラスが形成される。アライメント層は、デバイス内の電荷輸送に悪影響が及ぶことを防ぐために、できる限り高い伝導性を有し、且つできる限り薄くなるべきである。アライメント層に用いられるＵＶ感応性材料は、ＵＶ光の照射下において、交差結合、または他のなんらかの変化を経るポリマーであり得るか、もしくは、ＵＶ光の照射下において交差結合されるいくつかの反応基を備えたＬＭＭ化合物であり得る。
【００９６】
円偏光または楕円偏光を発するルミネセンスデバイスは、発光分子を、楕円またはらせん状の構成にアライメントすることによって生成することができる。これは、例えば、キラル液晶を用いて発光分子をアライメントすることによって行うことができる。この技術を円偏光ルミネセンスデバイスを生成するために使用することが、「Ｎａｔｕｒｅ」Ｖｏｌ  ３９７、５０６ページ、１９９９年２月１１日のＳ．Ｈ．Ｃｈｅｎらによる「Ｃｉｒｃｕｌａｒｌｙ  Ｐｏｌａｒｉｚｅｄ  Ｌｉｇｈｔ  Ｇｅｎｅｒａｔｅｄ  ｂｙ  Ｐｈｏｔｏ  Ｅｘｃｉｔａｔｉｏｎ  ｏｆ  Ｌｕｍｉｏｐｈｏｒｅｓ  ｉｎ  Ｇｌａｓｓｙ  Ｌｉｑｕｉｄ−Ｃｒｙｓｔａｌ  Ｆｉｌｍｓ」に記載されている。
【００９７】
このアプローチの代わりに、図１０に示す円偏光ルミネセンス素子が、原則的に、平面偏光ルミネセンス素子とλ／４波長板の組み合わせによって実現することができる。
【００９８】
偏光を発するエレクトロルミネセンス素子もまた、ＷＯ  ９７／０７６５４に開示される方法によって製造することができる。この方法において、発光層は、液晶化合物とエレクトロルミネセンス化合物の混合物から成る。ＬＣ分子が好ましい方向に配向され、これにより、ＥＬ分子が好ましい方向に配向される。外部電界または磁界、もしくは研磨されたアライメント層が、ＬＣ分子を配向するために用いることができる。
【００９９】
本発明は、特にエレクトロルミネセンスデバイスに関して述べられているが、本発明は、ＥＬデバイスに限定されず、他のルミネセンスデバイスにも適用することができる。
【０１００】
（産業上の利用可能性）
本発明は、第１および第２の発光領域を有するルミネセンスデバイスを提供する。第１の発光領域が、使用時に、第１の偏光を発し、第２の発光領域が、使用時に、第１の偏光とは異なる第２の偏光を発する。本発明のこの局面によるルミネセンスデバイスは、発せられた光の性質がデバイスの面積に渡って変化する偏光を発する、パターン化された発光体を生成するために用いることができる。あるいは、本発明のこの局面によるデバイスは、上記で概説した従来技術の積み重ねＥＬデバイスの問題を克服するために、積み重ねデバイスとして実現することができる。
【図面の簡単な説明】
【図１】  図１は、従来技術の３層エレクトロルミネセンスデバイスの概略断面図である。
【図２】  図２は、図１のデバイスの３つのＥＬ素子に関する吸収および発光スぺクトルを示す。
【図３】  図３は、本発明の第１の実施形態によるＥＬデバイスの概略図である。
【図４】  図４は、本発明の別の実施形態による３層のＥＬデバイスを示す概略図である。
【図５ａ】  図５ａは、図４の実施形態の改変例を示す。
【図５ｂ】  図５ｂは、図５ａのデバイスの３つのＥＬ層に関する偏光方向を示す。
【図６ａ】  図６ａは、本発明のさらなる実施形態によるＥＬデバイスを示す。
【図６ｂ】  図６ｂは、本発明のさらなる実施形態によるＥＬデバイスを示す。
【図７】  図７は、本発明のさらなる実施形態によるＥＬ素子の概略平面図である。
【図８】  図８は、本発明のさらなる実施形態によるＥＬ素子の概略平面図である。
【図９】  図９は、バックライトとしてＥＬデバイスを組み込んだ液晶デバイスの概略断面図である。
【図１０】  図１０は、バックライトとしてＥＬ素子を組み込んだ透過反射型液晶ディスプレイデバイス（ｔｒａｎｓｆｌｅｃｔｉｖｅ  ｌｉｑｕｉｄ  ｃｒｙｓｔａｌ  ｄｉｓｐｌａｙ  ｄｅｖｉｃｅ）の概略断面図である。
【図１１】  図１１（ａ）〜（ｆ）は、本発明による積み重ねＥＬ素子の製造工程を示す。
【図１２】  図１２は、本発明のさらなる実施形態による２つの異なる波長で光を発することが可能なＥＬ素子の概略平面図である。
【図１３】  図１３は、シンナマートポリマーの重合の概略図である。
【図１】
0003942359.tif 000002
【図２】
0003942359.tif 000003
【図３】
0003942359.tif 000004
【図４】
0003942359.tif 000005
【図５ａ】
0003942359.tif 000006
【図５ｂ】
0003942359.tif 000007
【図６ａ】
0003942359.tif 000008
【図６ｂ】
0003942359.tif 000009
【図７】
0003942359.tif 000010
【図８】
0003942359.tif 000011
【図９】
0003942359.tif 000012
【図１０】
0003942359.tif 000013
【図１１】
0003942359.tif 000014
【図１２】
0003942359.tif 000015
【図１３】
0003942359.tif 000016